(57)【特許請求の範囲】
【請求項１】
表皮層と真皮層とを有してなる皮膚の状態を評価する皮膚状態評価装置であって、
上記真皮層の水分量及びイオン濃度並びに上記表皮層の皮脂量に関する情報を取得する測定手段と、
該測定手段により得られた前記真皮層の水分量及びイオン濃度並びに上記表皮層の皮脂量の各情報に基づいて、上記皮膚の状態を評価する評価手段とを備え、
上記測定手段は、上記皮膚の表面にステップ電圧を印加した際の応答電流の初期電流量から上記真皮層の水分量情報を、該応答電流の電流初期変化率を該初期電流量の自乗で除した値である時定数から上記真皮層のイオン濃度情報を、該応答電流から得られる定常電流量から上記表皮層の皮脂量情報を取得する
ことを特徴とする、皮膚状態評価装置。
【請求項２】
上記測定手段は、
上記皮膚の表面にステップ電圧を印加した際の応答電流を計測する計測装置１０と、
上記計測装置１０により計測された上記応答電流の電流量を計測する電流量計測部４０と、
上記計測装置１０により計測された上記応答電流の所定時間あたりの変化量を計測する電流変化量計測部５０と、
上記電流量計測部４０により計測された上記電流量と、上記電流変化量計測部５０により計測された上記所定時間あたりの変化量とから、上記皮膚情報として上記初期電流量と上記時定数と上記定常電流量を特定する皮膚情報特定部６０とをそなえている
ことを特徴とする、請求項１記載の皮膚状態評価装置。
【請求項３】
該測定手段が、
上記初期電流量から上記真皮層の水分量情報を検出する真皮水分量情報検出部と、
上記時定数から上記真皮層のイオン濃度情報を検出する真皮イオン濃度情報検出部と、
上記定常電流量から上記表皮層の皮脂量情報を検出する表皮皮脂量情報検出部とを備えるとともに、
該評価手段が、
上記皮膚の状態の評価に用いる水分量基準情報を記憶した水分量基準情報記憶部と、
上記皮膚の状態の評価に用いるイオン濃度基準情報を記憶したイオン濃度基準情報記憶部と、
該真皮水分量情報検出手段が検出した水分量情報と該水分量基準情報記憶部における水分量基準情報とを比較する水分量情報比較部と、
該真皮イオン濃度情報検出部が検出したイオン濃度情報と該イオン濃度基準情報記憶部におけるイオン濃度基準情報とを比較するイオン濃度情報比較部と、
上記皮膚の状態の評価に用いる皮脂量基準情報を記憶した皮脂量基準情報記憶部と、
該表皮皮脂量情報検出部が検出した皮脂量情報と該皮脂量基準情報記憶部における皮脂量基準情報とを比較する皮脂量情報比較部と、
該水分量情報比較部での比較結果と、該イオン濃度情報比較部での比較結果と、該皮脂量情報比較部での比較結果との組み合わせに基づいて、上記皮膚の状態を評価する皮膚状態評価部とを備えて構成された
ことを特徴とする、請求項１又は２記載の皮膚状態評価装置。
【請求項４】
上記皮膚をケアするための手段に関するケア情報を記憶するケア情報記憶部と、
該評価手段による評価結果に応じたケア情報を該ケア情報記憶部から取得して提示する提示手段とをさらに備えた
ことを特徴とする、請求項１〜３のいずれか１項に記載の皮膚状態評価装置。
【請求項５】
該ケア情報記憶部が、
該ケア情報として化粧品、食品及び薬品の少なくともいずれかに関する情報を記憶している
ことを特徴とする、請求項４記載の皮膚状態評価装置。
【請求項６】
表皮層と真皮層とを有してなる皮膚の状態を評価する、コンピュータのための皮膚状態評価プログラムであって、
上記真皮層の水分量及びイオン濃度並びに上記表皮層の皮脂量に関する情報を取得する測定手段、及び、
該測定手段により得られた前記真皮層の水分量及びイオン濃度並びに上記表皮層の皮脂量の各情報に基づいて、上記皮膚の状態を評価する評価手段として機能し、
上記測定手段は、上記皮膚の表面にステップ電圧を印加した際の応答電流の初期電流量から上記真皮層の水分量情報を、該応答電流の電流初期変化率を該初期電流量の自乗で除した値である時定数から上記真皮層のイオン濃度情報を、該応答電流から得られる定常電流量から上記表皮層の皮脂量情報を取得する
ことを特徴とする、皮膚状態評価プログラム。
【請求項７】
請求項６記載の皮膚状態評価プログラムを記憶した、コンピュータ読み取り可能な記憶媒体。
【発明の詳細な説明】
【技術分野】
【０００１】
本発明は、皮膚状態評価装置及び皮膚状態評価プログラム並びに同プログラムを記憶したコンピュータ読み取り可能な記憶媒体に関し、特に、皮膚の真皮（真皮層）の情報（例えば、水分量情報、イオン濃度情報など）を用いて皮膚の状態を評価するのに用いて好適な技術に関する。
【背景技術】
【０００２】
一般に、化粧水、保水クリーム等の基礎化粧品は、ファンデーション、チーク、アイシャドウ等のメークアップ用化粧品によって発汗や呼吸を阻害された皮膚に、水分を補ったり代謝を促したりすることにより、皮膚の健康状態を改善することを目的としている。
したがって、基礎化粧品を使用する際には、皮膚の状態を適切に評価し、その皮膚の状態に応じた基礎化粧品を用いることが好ましい。また、同様のことは、基礎化粧品の使用以外にも、肌の手入れ（ケア）に関する手段すべてについて言える。そこで、皮膚の状態の評価及び肌の手入れの手段を選択するため、従来、例えば特許文献１に記載のような技術が提案されていた。
【０００３】
【特許文献１】特開２００５−１８１２２６号公報
【発明の開示】
【発明が解決しようとする課題】
【０００４】
ところで、皮膚は、表皮（表皮層）と真皮（真皮層）とから構成されている。このうち、真皮は、皮膚表面を覆う表皮の１０倍の厚みを有し、表皮への栄養の供給を行なう皮膚の本体である。詳しくは、真皮は毛細血管を有し表皮の基となる基底膜を栄養する。また、真皮は、発汗のための水分を多く蓄えていて、表皮への水分補給も担っている。したがって、メラニン沈着（シミ、ソバカス等）などの基底膜の問題は、表皮ではなく、基底膜自体もしくは基底膜を栄養する真皮へも働きかけなければ、効果的な改善につながらない。
【０００５】
しかしながら、真皮の情報を用いて皮膚の状態を評価したり肌の手入れの手段を選定したりする技術は、これまで開発されていなかった。例えば、従来は、表皮の水分量及び皮脂量並びに基底膜におけるメラニン沈着の情報を用いた技術はあったものの、真皮の情報を用いた技術は無かった。
本発明は、上記の課題に鑑みて創案されたもので、真皮の情報を用いて、従来よりも適切に皮膚の状態を評価することができ、ひいては、従来よりも適切に、肌を手入れする手段（例えば、基礎化粧品、食品、薬品の種類など）の選定可能な情報を提供できるようにすることを目的とする。
【課題を解決するための手段】
【０００６】
本発明の皮膚状態評価装置は、表皮層と真皮層とを有してなる皮膚の状態を評価する皮膚状態評価装置であって、上記真皮層の水分量及びイオン濃度並びに上記表皮層の皮脂量に関する情報を取得する測定手段と、該測定手段により得られた前記真皮層の水分量及びイオン濃度並びに上記表皮層の皮脂量の各情報に基づいて、上記皮膚の状態を評価する評価手段とを備え、上記測定手段は、上記皮膚の表面にステップ電圧を印加した際の応答電流の初期電流量から上記真皮層の水分量情報を、該応答電流の電流初期変化率を該初期電流量の自乗で除した値である時定数から上記真皮層のイオン濃度情報を、該応答電流から得られる定常電流量から上記表皮層の皮脂量情報を取得することを特徴とする。
このとき、上記測定手段は、上記皮膚の表面にステップ電圧を印加した際の応答電流を計測する計測装置１０と、上記計測装置１０により計測された上記応答電流の電流量を計測する電流量計測部４０と、上記計測装置１０により計測された上記応答電流の所定時間あたりの変化量を計測する電流変化量計測部５０と、上記電流量計測部４０により計測された上記電流量と、上記電流変化量計測部５０により計測された上記所定時間あたりの変化量とから、上記皮膚情報として上記初期電流量と上記時定数と上記定常電流量を特定する皮膚情報特定部６０とをそなえていることが好ましい。
【０００７】
また、該測定手段が、上記初期電流量から上記真皮層の水分量情報を検出する真皮水分量情報検出部と、上記時定数から上記真皮層のイオン濃度情報を検出する真皮イオン濃度情報検出部と、上記定常電流量から上記表皮層の皮脂量情報を検出する表皮皮脂量情報検出部とを備えるとともに、該評価手段が、上記皮膚の状態の評価に用いる水分量基準情報を記憶した水分量基準情報記憶部と、上記皮膚の状態の評価に用いるイオン濃度基準情報を記憶したイオン濃度基準情報記憶部と、該真皮水分量情報検出手段が検出した水分量情報と該水分量基準情報記憶部における水分量基準情報とを比較する水分量情報比較部と、該真皮イオン濃度情報検出部が検出したイオン濃度情報と該イオン濃度基準情報記憶部におけるイオン濃度基準情報とを比較するイオン濃度情報比較部と、上記皮膚の状態の評価に用いる皮脂量基準情報を記憶した皮脂量基準情報記憶部と、該表皮皮脂量情報検出部が検出した皮脂量情報と該皮脂量基準情報記憶部における皮脂量基準情報とを比較する皮脂量情報比較部と、該水分量情報比較部での比較結果と、該イオン濃度情報比較部での比較結果と、該皮脂量情報比較部での比較結果との組み合わせに基づいて、上記皮膚の状態を評価する皮膚状態評価部とを備えて構成されることが好ましい。
【０００９】
さらに、本発明の皮膚状態評価装置は、上記皮膚をケアするための手段に関するケア情報を記憶するケア情報記憶部と、該評価手段による評価結果に応じたケア情報を該ケア情報記憶部から取得して提示する提示手段とをさらに備えることが好ましい。
【００１０】
また、該ケア情報記憶部が、該ケア情報として化粧品、食品及び薬品の少なくともいずれかに関する情報を記憶していることが好ましい。
【００１１】
本発明の皮膚状態評価プログラムは、表皮層と真皮層とを有してなる皮膚の状態を評価する、コンピュータのための皮膚状態評価プログラムであって、上記真皮層の水分量及びイオン濃度並びに上記表皮層の皮脂量に関する情報を取得する測定手段、及び、該測定手段により得られた前記真皮層の水分量及びイオン濃度並びに上記表皮層の皮脂量の各情報に基づいて、上記皮膚の状態を評価する評価手段として機能し、上記測定手段は、上記皮膚の表面にステップ電圧を印加した際の応答電流の初期電流量から上記真皮層の水分量情報を、該応答電流の電流初期変化率を該初期電流量の自乗で除した値である時定数から上記真皮層のイオン濃度情報を、該応答電流から得られる定常電流量から上記表皮層の皮脂量情報を取得することを特徴とする。
【００１２】
また、本発明のコンピュータ読み取り可能な記憶媒体は、本発明の皮膚状態評価プログラムを記憶した記憶媒体である。
【発明の効果】
【００１３】
本発明によれば、真皮の情報を用いて、従来よりも適切に皮膚の状態を評価できる。
また、本発明によれば、真皮の情報を用いて、従来よりも適切に肌を手入れする手段の選定可能な情報を提供することができる。
【発明を実施するための最良の形態】
【００１４】
以下、本発明の実施形態について説明するが、本発明は以下の実施形態に限定されるものではなく、本発明の要旨を逸脱しない範囲において、任意に変更して実施することができる。
【００１５】
［Ｉ．第１実施形態］
図１は、本発明の第１実施形態としての美容用装置１の構成を模式的に表わすブロック図である。図１に示すように、この美容用装置（皮膚状態評価装置）１は、計測装置１０と、データ処理装置２０と、出力装置３０とを備えている。
【００１６】
［Ｉ−１．計測装置］
計測装置１０は、真皮（真皮層）及び表皮（表皮層）の情報を測定（検出）するために、対象人物の皮膚にステップ電圧を印加し、そのときの応答電流を計測する装置である。ここでは、真皮の情報として、真皮の水分量及びイオン濃度を測定し、また、表皮の情報として、表皮の皮脂量を測定しているものとする。ただし、本明細書において、水分量、イオン濃度、皮脂量を測定するとは、水分量、イオン濃度、皮脂量の値自体を測定することのみを意味するものではなく、水分量、イオン濃度、皮脂量に関する情報を測定することをも含む広義の意味である。本実施形態では、後述するように、真皮の水分量の情報（水分量情報）としてステップ電圧印加後の初期電流量を測定し、真皮のイオン濃度の情報（イオン濃度情報）としてステップ電圧印加後の電流初期変化率を初期電流量の自乗で除した値（時定数）を測定し、表皮層の皮脂量の情報（皮脂量情報）としてステップ電圧印加後の定常電流量を測定しているものとする。
【００１７】
［Ｉ−１−１．真皮及び表皮の情報の測定メカニズム］
まず、真皮及び表皮の情報として、真皮の水分量情報及びイオン濃度情報、並びに、表皮の皮脂量情報を測定する仕組みについて説明する。
生体の皮膚に一対の電極を装着し、その電極からステップ電圧｛図２（ａ）参照｝を印加すると生体の皮膚に応答電流が流れるが、その応答電流は、図２（ｂ）に示すように、ステップ電圧を印加し続けるにしたがって次第に小さくなる。なお、図２（ｂ）は電流量を対数で表わす対数グラフである。
【００１８】
この応答電流の波形を詳しく調べると、応答電流が次の３つの成分に代表されることが分かる。即ち、応答電流を代表する３つの成分とは、第１に、ステップ電圧を印加した直後は電流量が大きく、ステップ電圧を印加し続けるとその電流量が急減に小さくなる電流成分（以下適宜、早い電流成分という）Ｉfであり、第２に、ステップ電圧を印加した直後の電流量は早い電流成分よりも小さく、ステップ電圧を印加し続けるとその電流量が最も緩やかに低下する電流成分（以下適宜、遅い電流成分という）Ｉdであり、第３に、ステップ電圧を印加し続けても一定の電流量を保つ電流成分（以下適宜、定常電流成分という）Ｉcである。
【００１９】
これらの３つの電流成分に鑑みると、生体の皮膚に一対の電極を装着しステップ電圧を印加した場合、応答電流が流れる電極間の皮膚は、例えば図３に示すような等価回路で表わすことができる。即ち、図３の等価回路では、早い電流成分Ｉfは、抵抗１２０Ｒとコンデンサ１２０Ｃとで構成される第１の電流路１２０を流れる電流として表わされ、遅い電流成分Ｉdは、抵抗１２１Ｒとコンデンサ１２１Ｃとで構成される第２の電流路１２１を流れる電流で表わされ、定常電流Ｉcは、抵抗１２２Ｒで構成される第３の電流路１２２を流れる電流で表わされる。また、この等価回路は、第１，２，３の各電流路１２０，１２１，１２２が並列となるよう構成され、第１，２，３の電流路１２０，１２１，１２２が合流したあとに各電流成分Ｉf，Ｉd，Ｉcは抵抗１２３Ｒを通過するよう構成されている。さらに、抵抗１２０Ｒの抵抗値Ｒf及び抵抗１２１Ｒの抵抗値Ｒdは、抵抗値Ｒf＜抵抗値Ｒdを満たす。なお、コンデンサ１２０Ｃの電気容量はＣfで表わし、コンデンサ１２１Ｃの電気容量はＣdで表わし、抵抗１２２Ｒの抵抗値はＲcで表わし、抵抗１２３Ｒの抵抗値はＲ0で表わすものとする。
【００２０】
上記の等価回路における抵抗値Ｒf，Ｒd，Ｒc，Ｒ0及び電気容量Ｃf，Ｃdは、それぞれ電極が装着された生体の皮膚の状態を表わす情報を含んだ電気的特性値であると考えられる。以下、図を用いてその内容を説明する。
図４は生体の皮膚に一対の電極を装着した場合を説明する図、図５は図４のＶ部を拡大して示す模式的な斜視図である。図４に示すように、生体の皮膚は表皮１００と、血液が流れている真皮１０１との二重構造になっており、表皮１００と真皮１０１とは基底膜１０２によって分離されている。皮膚の表面、即ち表皮１００の表面に一対の電極（ここでは、円柱形状の電極を用いて説明する）１１０Ａ，１１０Ｂを装着し、電極１１０Ａ，１１０Ｂ間にステップ電圧を印加すると、電流はプラス電極１１０Ａから皮膚を通ってマイナス電極１１０Ｂに流れる。この際に流れる早い電流成分Ｉfの電流量は、電極１１０Ａの皮膚接触部の外周長に略比例し、また、遅い電流成分Ｉdの電流量が、電極１１０Ａの皮膚接触部の面積に略比例する。なお、電極１１０Ａ，１１０Ｂの大きさが異なっている場合、早い電流成分Ｉf及び遅い電流成分Ｉdそれぞれの電流量は、両電極の大きさに十分な差があれば、一般的に小さい方の電極（ここでは、電極１１０Ａの方が小さいものとして説明する）の皮膚接触部の外周長及び面積それぞれにより決まる。
【００２１】
このことから、図５に示すようにステップ電圧を印加した直後に、早い電流成分Ｉfは電極１１０Ａの側壁外周面と交差（直交）するように皮膚の横方向（皮膚面と略平行な方向）に流れ、また、遅い電流成分Ｉdは電極１１０Ａの接触面と交差（直交）するように皮膚の縦方向（皮膚面と略垂直な方向）に流れると考えられる。また、どちらの成分も、導電率の高い真皮１０１を流れ、導電率が低く電荷を溜めやすい基底膜１０２に帯電すると考えられる。さらに、それぞれの成分を担う電荷キャリア（電解質など）の状態（数量など）によって、それぞれの電気抵抗や電気容量が決定されると考えられる。したがって、上記の等価回路において早い電流成分Ｉfが流れる電流路１２０を構成する抵抗１２０Ｒの抵抗値Ｒf及びコンデンサ１２０Ｃの電気容量Ｃfは、それぞれ真皮１０１内を横方向に自由に移動できる電荷キャリアの状態を表わす情報を含む電気的特性値であると考えられる。
【００２２】
また、同様に上記の等価回路において遅い電流成分Ｉdが流れる電流路１２１を構成する抵抗１２１Ｒの抵抗値Ｒd及びコンデンサ１２１Ｃの電気容量Ｃdは、それぞれ真皮１０１内、若しくは、真皮１０１から基底膜１０２を抜けて縦方向に移動する電荷キャリアの状態を示す情報を含む電気的特性値であると考えられる。さらに、定常電流Ｉcが流れる電流路１２２を構成する抵抗１２２Ｒの抵抗値Ｒcは、基底膜１０２にほとんど電荷を溜めない微小の漏れ電流の抵抗であると考えられる。これらの要素が電極１１０Ａ直下、若しくは、電極１１０Ａの極近傍の電気的特性を表わすのに対して、抵抗１２３Ｒの抵抗値Ｒ0は、両電極１１０Ａ，１１０Ｂ間の真皮１０１全体の抵抗値である。また、これらの電流成分Ｉf，Ｉd，Ｉcの電流量、抵抗値Ｒf，Ｒd，Ｒc，Ｒ0、電気容量Ｃf，Ｃdのすべて若しくは一部から算出される各種のパラメータは、それぞれ生体の皮膚の状態を表わす情報を含み、生体の皮膚の状態を表わす電気的特性値となりうるものと考えられる。
【００２３】
以上のように、上記の等価回路を流れる電流成分Ｉf，Ｉd，Ｉcの電流量、抵抗値Ｒf，Ｒd，Ｒc，Ｒ0、電気容量Ｃf，Ｃd、及び、それらから導き出されるパラメータが分かれば、皮膚の情報、即ち、真皮１０１及び表皮１００の情報を把握することが可能になる。
【００２４】
例えば、パルス電圧印加後の初期電流量は、真皮の水分量（以下適宜、「真皮水分量」という）を表わす情報（即ち、真皮の水分量情報）として用いることができる。これは、早い電流成分Ｉfの大きさが、真皮の水分量との関連が強いと推察されるためである。即ち、図３〜５を用いて説明すると、早い電流成分Ｉfに対応する抵抗１２０Ｒは、局所（電極１１０Ａ近傍）の真皮１０１の水分（細胞外液）に含まれる比較的移動しやすい電解質の電気抵抗であり、水分量との関連が強いと推察されるからである。また、同様の理由で、例えば抵抗値Ｒfなども、真皮の水分量情報として用いることが可能である。
本実施形態では、ステップ電圧印加直後の初期電流量を真皮の水分量情報として用いるものとする。具体的には、上記初期電流量が大きければ真皮水分量が多く、上記初期電流量が小さければ真皮水分量が少ないものとしている。
【００２５】
また、例えば、パルス電圧印加後に変化する電流量の変化率（以下適宜、「電流変化率」という）の初期量（以下適宜、「電流初期変化率」という）を初期電流量の自乗で除した値（時定数）は、真皮のイオン濃度（以下適宜、「真皮イオン濃度」という）を表わす情報（即ち、真皮のイオン濃度情報）として用いることができる。これは、一般にＲＣ回路にステップ電圧を印加したとき流れる電流において、電流初期変化率を初期電流量の自乗で除した数値は、時定数と呼ばれる抵抗値と電気容量の積、すなわち、導電体の形状によらず、導電体の物性、つまり質により決定される物理量と等しいからである。真皮層の水分の物性、つまり質は、各種イオンの濃度により決まる。すなわち、図３〜５を用いて説明すると、早い電流成分Ｉfに対応する抵抗１２０Ｒとコンデンサ１２０Ｃとの積は、比較的移動しやすい真皮１０１のイオン濃度と関連が強いと推察されるからである。また、同様の理由で、例えば抵抗値Ｒfや電気容量Ｃfの積も、真皮のイオン濃度情報として用いることが可能である。
本実施形態では、ごく短い電圧印加で正確に情報を得るため、電流初期変化率と初期電流量とを用いて時定数を算出し、この時定数を真皮のイオン濃度情報として用いる。即ち、ステップ電圧印加後の電流初期変化率を初期電流量の自乗で除した値（時定数）を、真皮のイオン濃度情報として用いるものとする。具体的には、上記時定数が大きければ真皮のイオン濃度が多く、上記時定数が小さければ真皮のイオン濃度が少ないものとしている。
【００２６】
さらに、例えば、定常電流量は、表皮の皮脂量（以下適宜、「表皮皮脂量」という）を表わす情報（即ち、表皮の皮脂量情報）として用いることができる。これは、定常成分Ｉcの大きさが、皮脂分泌量との関連が強いと推測されるためである。即ち、図３〜５を用いて説明すると、定常成分Ｉcに対応する抵抗１２２Ｒは、局所（電極１１０Ａ近傍）の表皮に含まれる皮脂との関連が強いと推測されるからである。
また、同様の理由で、例えば抵抗値Ｒcなども、表皮の皮脂量情報として用いることができる。これらは、定常電流量（基底膜の漏れ電流）が表皮皮脂量によって変化することを利用している。この知識は、一般に交感神経の緊張を推測する方法、つまり、交感神経＝皮脂分泌反射（ＧＳＲ）として広く知られている。
本実施形態では、定常電流量を表皮層の皮脂量情報として用いている。具体的には、上記定常電流量が大きければ表皮の皮脂量が多く、上記定常電流量が小さければ表皮の皮脂量も少ないものとしている。
【００２７】
［Ｉ−１−２．計測装置の構成］
計測装置１０は、生体の皮膚にステップ電圧を印加する機能と、そのときの応答電流を計測する機能とを有する部分である。図１に示すように、この計測装置１０は、一対の電極１１Ａ，１１Ｂ（前記の電極１１０Ａ，１１０Ｂに相当する）、ステップ電圧発生装置（電圧印加手段）１２、電流計１３、データサンプリング回路（サンプリング手段）１４、及び、クロック発生回路１５から構成されている。
【００２８】
電極１１Ａ，１１Ｂは、生体の皮膚にステップ電圧を印加するための手段であり、図示しないトリガスイッチを入れることによってステップ電圧発生装置１２から電極１１Ａ，１１Ｂ間にステップ電圧が印加されるようになっている。なお、ステップ電圧発生装置１２が発生する電圧は、通常は３Ｖ程度に設定される。
【００２９】
電流計１３は、ステップ電圧の印加によって電極１１Ａ，１１Ｂ間に流れる電流量を測定するものである。したがって、電極１１Ａ，１１Ｂ間に流れる電流量は、電流計１３により常時計測されるようになっている。
【００３０】
さらに、電流計１３により計測される電流量は、データサンプリング回路１４により所定のタイミングでＡ／Ｄ変換されてデジタル信号として取り込まれるようになっている。また、このデータサンプリング回路１４によるサンプリングタイミングは、クロック発生回路１５から出力されるクロック信号によって制御されるようになっている。したがって、この電流計１３、サンプリング回路１４、及びクロック発生回路１５が、応答電流検出部１６を構成する。
【００３１】
クロック発生回路１５は、ステップ電圧発生装置１２によるステップ電圧の印加に同期して微小時間を空けてサンプリング命令パルス信号を発生する回路である。したがって、ステップ電圧の印加をしたときには、第１のサンプリング命令パルス信号（第１命令信号）、第２のサンプリング命令パルス信号（第２命令信号）が、微小時間を空けて発生するようになっている。
【００３２】
データサンプリング回路１４は、サンプリングパルス信号に同期して電流計１３から電流量Ｉを取り込み、取り込んだ電流量Ｉをデータ処理装置２０の電流量計測部４０及び電流変化量計測部５０（図１参照。後述する。）に送るようになっている。そして、電流量Ｉは、次に説明するデータ処理装置２０において処理されるようになっている。
【００３３】
［Ｉ−２．データ処理装置］
データ処理装置２０には、計測装置１０により得られた電流量Ｉが図示しない入力インタフェース（入力手段）を介して入力されるようになっている。そして、データ処理装置２０は、入力された電流量Ｉについて適宜の処理を行ない、対象人物の肌のうち、計測装置１０が計測した所定の部位の皮膚の状態の評価、及び、その状態に応じた肌の手入れ（ケア）の手段の選定（即ち、ケア情報の提示）を行なうよう構成されている。
【００３４】
そのため、図１に示すように、データ処理装置２０は、電流量計測部４０、電流変化量計測部５０、皮膚情報特定部（皮膚情報検出部）６０、皮膚情報比較部７０、主処理部８０、及び、記憶装置９０を備えている。
ところで、ここで肌のケアの手段（ケア手段）とは、肌をケアするための手段を広義に指す。ケア手段の例を挙げると、肌のケアの手法、肌の手入れに用いる化粧品、食品、薬品などが挙げられる。したがって、本実施形態では、後述する提示手段は、ケア手段に関する情報（ケア情報）として、上記の肌をケアするための手段に関する広範な情報を提示できるようになっている。
【００３５】
［Ｉ−２−１．電流量計測部４０］
電流量計測部４０は、ステップ電圧の印加後に流れる応答電流の電流量を計測する手段である。電流量計測部４０では、各命令信号に同期して取り込まれた電流量Ｉを読み出して、皮膚情報特定部６０に送るようになっている。
【００３６】
［Ｉ−２−２．電流変化量計測部５０］
電流変化量計測部５０は応答電流の所定時間あたりの変化量を計測する手段である。電流変化量計測部５０では、ある命令信号に同期して取り込まれた電流量（例えば、図６の電流量Ｉ1）と、その次の命令信号に同期して取り込まれた電流量（例えば、図６の電流量Ｉ2）との偏差（例えば、図６ではＩ1−Ｉ2）を算出し、その偏差を電流変化量として皮膚情報特定部６０に送るようになっている。
【００３７】
［Ｉ−２−３．皮膚情報特定部６０］
皮膚情報特定部（皮膚情報検出部）６０は、計測装置１０によって計測した皮膚に関する情報を特定（検出）する手段である。図１に示すように、皮膚情報特定部６０は、真皮水分量情報特定部（真皮水分量情報検出部）として機能する初期電流量特定部（初期電流量検出部）６１と、真皮イオン濃度情報特定部（真皮イオン濃度情報検出部）として機能する時定数特定部（時定数検出部）６２と、表皮皮脂量情報特定部（表皮皮脂量情報検出部）として機能する定常電流量特定部（定常電流量検出部）６３とを備えている。
【００３８】
初期電流量特定部６１は、初期電流量を、皮膚の真皮の水分量情報として検出する手段である。初期電流量特定部６１は、電流量計測部４０から送られてくる電流量を受け取り、そして、第１命令信号に同期して取り込まれた電流量Ｉ1を読み出して、この電流量Ｉ1を初期電流量として検出するようになっている（図６参照）。さらに、検出された初期電流量は、真皮の水分量情報として皮膚情報比較部７０に送られるようになっている。
【００３９】
また、時定数特定部６２は、電流初期変化率を初期電流量の自乗で除した値（時定数）を、皮膚の真皮のイオン濃度情報として検出する手段である。時定数特定部６２は、電流量計測部４０から送られてくる電流量を受け取り、第１命令信号に同期して取り込まれた電流量Ｉ1を読み出して、この電流量Ｉ1を初期電流量として得る。また、時定数特定部６２は、電流変化量計測部５０から送られてくる電流の変化量を受け取り、第１命令信号に同期して取り込まれた電流量Ｉ1と第２命令信号に同期して取り込まれた電流量Ｉ2との偏差（即ち、最初の電流変化量ｄｉ（０））を読み出す（図６参照）。そして、この電流変化量ｄｉ（０）を用い、下記の式（１）を計算することにより、電流初期変化率を得て、得られた電流初期変化率を初期電流量の自乗で除すことにより時定数を検出するようになっている。
電流初期変化率＝ｄｉ（０）／ｄｔ      ・・・（１）
なお、式（１）において、ｄｔは、電流量Ｉ1と電流量Ｉ2のサンプリング間隔であり、クロック発生回路１５によるクロック周期に等しい。
【００４０】
また、電流初期変化率は、
【数１】
0004418419.tif 000002
て定義される値であるが、ここでは、上記式（１）により近似を行なっている。
検出された時定数は、真皮のイオン濃度情報として皮膚情報比較部７０に送られるようになっている。
【００４１】
さらに、定常電流特定部６３は、定常電流量を、皮膚の表皮の皮脂量情報として検出する手段である。定常電流特定部６３は、電流量計測部４０から送られてくる電流量を受け取る。そして、電圧印加開始から一定時間が経過した後、複数のサンプル（複数の時点における電流量）から平均値を算出し、定常電流量として検出するようになっている。また、検出された定常電流量は、表皮層の皮脂量情報として皮膚情報比較部７０に送られるようになっている。
【００４２】
なお、上述した計測装置１０、電流量計測部４０、電流変化量計測部５０及び皮膚情報特定部６０は、上記真皮層の水分量及びイオン濃度のいずれか一方又は双方を少なくとも測定して当該一方又は双方に関する情報を取得する測定手段として機能する。
【００４３】
［Ｉ−２−４．皮膚情報比較部］
皮膚情報比較部７０は、計測装置１０によって計測した皮膚の状態を判定するため、皮膚の評価に用いる基準情報と、皮膚の状態を表わす皮膚情報（真皮の水分量情報及びイオン濃度情報、並びに表皮の皮脂量情報）とを比較する手段である。本実施形態では、皮膚情報比較部７０は、水分量情報比較部７１と、イオン濃度情報比較部７２と、皮脂量情報比較部７３とを備えている。
【００４４】
また、本実施形態において、皮膚情報比較部７０が行なう比較は、真皮の水分量及びイオン濃度並びに表皮の皮脂量が、基準範囲内に収まるかどうかを確認するためのものである。したがって、ここで行なわれる比較に基準として使用される基準情報は、真皮の水分量及びイオン濃度並びに表皮の皮脂量が上記の基準範囲内に収まるかどうかを確認できる基準情報となっている。具体的には、基準情報として、真皮の水分量に関する水分量基準情報、真皮のイオン濃度に関するイオン濃度基準情報、並びに、表皮の皮脂量の基準範囲に関する皮脂量基準情報を用いるようになっているものとする。
【００４５】
なお、上記の水分量基準情報、イオン濃度基準情報及び皮脂量基準情報は、それぞれ、記憶装置９０の水分量基準情報記憶部９１、イオン濃度基準情報記憶部９２及び皮脂量基準情報記憶部９３に記憶され、適宜、記憶装置９０から読み込まれて比較に用いられるようになっている。
【００４６】
水分量情報比較部７１は、初期電流量特定部６１が検出した初期電流量を真皮の水分量情報として用い、この水分量情報と水分量基準情報と比較する手段である。また、上記の比較に用いる水分量基準情報としては、真皮の水分量の基準範囲の上限値に対応した基準情報（以下適宜、「水分量基準範囲上限値」という）と、真皮の水分量の基準範囲の下限値に対応した基準情報（以下適宜、「水分量基準範囲下限値」という）とを採用しているものとする。
【００４７】
イオン濃度情報比較部７２は、時定数特定部６２が検出した時定数を真皮のイオン濃度情報として用い、このイオン濃度情報とイオン濃度基準情報と比較する手段である。また、上記の比較に用いるイオン濃度基準情報としては、真皮のイオン濃度の基準範囲の上限値に対応した基準情報（以下適宜、「イオン基準範囲上限値」という）と、真皮のイオン濃度の基準範囲の下限値に対応した基準情報（以下適宜、「イオン基準範囲下限値」という）とを採用しているものとする。
【００４８】
皮脂量情報比較部７３は、定常電流量特定部６３が検出した定常電流量を表皮の皮脂量情報として用い、この皮脂量情報と皮脂量基準情報とを比較する手段である。また、上記の比較に用いる皮脂量基準情報としては、表皮の皮脂量の基準範囲の上限値に対応した基準情報（以下適宜、「皮脂量基準範囲上限値」という）と、表皮の皮脂量の基準範囲の下限値に対応した基準情報（以下適宜、「皮脂量基準範囲下限値」という）とを採用しているものとする。
【００４９】
なお、上記の基準範囲は、例えば、所定数の健常者から予め得た平均値を用いて、「平均値±標準偏差」で表わされる範囲を採用することができる。
そして、皮膚情報比較部７０は、皮膚情報特定部６０から真皮の水分量情報及びイオン濃度情報、並びに表皮の皮脂量情報が送られてくると、以下の要領にしたがって比較を行なうようになっている。
【００５０】
図７〜図９は、皮膚情報比較部７０で行なわれる比較処理の要領を示すフロー図である。図７に示すように、まず、ステップＳ１において、水分量情報比較部７１が真皮の水分量情報と水分量基準範囲上限値とを比較して、真皮水分量が基準範囲よりも大きいか否かの判定を行なう。水分量情報が水分量基準範囲上限値よりも大きければ真皮水分量が基準範囲より大きいと判定して処理はＹＥＳルートをとってステップＳ１１に進み、水分量情報が水分量基準範囲上限値以下であればＮＯルートをとって図８に示すステップＳ２へ進む。
【００５１】
ステップＳ１１では、イオン濃度情報比較部７２が真皮のイオン濃度情報とイオン濃度基準範囲上限値とを比較して、真皮イオン濃度が基準範囲よりも大きいか否かの判定を行なう。イオン濃度情報がイオン濃度基準範囲上限値よりも大きければ真皮イオン濃度が基準範囲より大きいと判定して処理はＹＥＳルートをとってステップＳ１１１に進み、イオン濃度情報がイオン濃度基準範囲上限値以下であればＮＯルートをとってステップＳ１２へ進む。
【００５２】
ステップＳ１１１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ１に進み、皮脂量情報が皮脂量基準範囲上限値以下であればＮＯルートをとってステップＳ１１２へ進む。
【００５３】
ステップＳＳ１に処理が移行したということは、対象となる皮膚では真皮水分量、真皮イオン濃度及び表皮皮脂量がいずれも基準範囲よりも大きいと判定されたことになる。そこで、ステップＳＳ１では、皮膚情報比較部７０は、主処理部８０に対して、後述する所定の処理１を行なうように処理情報を送る。
【００５４】
ステップＳ１１２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ２に進み、皮脂量情報が皮脂量基準範囲下限値よりも小さければ表皮皮脂量が基準範囲よりも小さいと判定してＮＯルートをとってステップＳＳ３へ進む。
【００５５】
ステップＳＳ２に処理が移行したということは、対象となる皮膚では真皮水分量及び真皮イオン濃度がいずれも基準範囲よりも大きく、表皮皮脂量が基準範囲内に収まると判定されたことになる。そこで、ステップＳＳ２では、皮膚情報比較部７０は、主処理部８０に対して、後述する所定の処理２を行なうように処理情報を送る。
【００５６】
また、ステップＳＳ３に処理が移行したということは、対象となる皮膚では真皮水分量及び真皮イオン濃度がいずれも基準範囲よりも大きく、表皮皮脂量が基準範囲よりも小さいと判定されたことになる。そこで、ステップＳＳ３では、皮膚情報比較部７０は、主処理部８０に対して、後述する所定の処理３を行なうように処理情報を送る。
【００５７】
さらに、ステップＳ１２では、イオン濃度情報比較部７２が真皮のイオン濃度情報とイオン濃度基準範囲下限値とを比較して、真皮イオン濃度が基準範囲内に収まるか否かの判定を行なう。イオン濃度情報がイオン濃度基準範囲下限値以上であれば真皮イオン濃度が基準範囲内に収まると判定して処理はＹＥＳルートをとってステップＳ１２１に進み、イオン濃度情報がイオン濃度基準範囲下限値より小さければ真皮イオン濃度が基準範囲よりも小さいと判定して処理はＮＯルートをとってステップＳ１３１へ進む。
【００５８】
ステップＳ１２１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ４に進み、皮脂量情報が皮脂量基準範囲上限値以下であればＮＯルートをとってステップＳ１２２へ進む。
【００５９】
ステップＳＳ４に処理が移行したということは、対象となる皮膚では真皮水分量及び表皮皮脂量がいずれも基準範囲よりも大きく、真皮イオン濃度は基準範囲内に収まると判定されたことになる。そこで、ステップＳＳ４では、皮膚情報比較部７０は、主処理部８０に対して、後述する所定の処理４を行なうように処理情報を送る。
【００６０】
ステップＳ１２２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ５に進み、皮脂量情報が皮脂量基準範囲下限値よりも小さければ表皮皮脂量が基準範囲よりも小さいと判定してＮＯルートをとってステップＳＳ６へ進む。
【００６１】
ステップＳＳ５に処理が移行したということは、対象となる皮膚では真皮水分量が基準範囲よりも大きく、真皮イオン濃度及び表皮皮脂量はいずれも基準範囲内に収まると判定されたことになる。そこで、ステップＳＳ５では、皮膚情報比較部７０は、主処理部８０に対して、後述する所定の処理５を行なうように処理情報を送る。
【００６２】
また、ステップＳＳ６に処理が移行したということは、対象となる皮膚では真皮水分量が基準範囲よりも大きく、真皮イオン濃度が基準範囲内に収まり、表皮皮脂量が基準範囲よりも小さいと判定されたことになる。そこで、ステップＳＳ６では、皮膚情報比較部７０は、主処理部８０に対して、後述する所定の処理６を行なうように処理情報を送る。
【００６３】
さらに、ステップＳ１３１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ７に進み、皮脂量情報が皮脂量基準範囲上限値以下であればＮＯルートをとってステップＳ１３２へ進む。
【００６４】
ステップＳＳ７に処理が移行したということは、対象となる皮膚では真皮水分量及び表皮皮脂量がいずれも基準範囲よりも大きく、真皮イオン濃度は基準範囲よりも小さいと判定されたことになる。そこで、ステップＳＳ７では、皮膚情報比較部７０は、主処理部８０に対して、後述する所定の処理７を行なうように処理情報を送る。
【００６５】
ステップＳ１３２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ８に進み、皮脂量情報が皮脂量基準範囲下限値よりも小さければ表皮皮脂量が基準範囲よりも小さいと判定してＮＯルートをとってステップＳＳ９へ進む。
【００６６】
ステップＳＳ８に処理が移行したということは、対象となる皮膚では真皮水分量が基準範囲よりも大きく、真皮イオン濃度は基準範囲よりも小さく、表皮皮脂量は基準範囲内に収まると判定されたことになる。そこで、ステップＳＳ８では、皮膚情報比較部７０は、主処理部８０に対して、後述する所定の処理８を行なうように処理情報を送る。
【００６７】
また、ステップＳＳ９に処理が移行したということは、対象となる皮膚では真皮水分量が基準範囲よりも大きく、真皮イオン濃度及び表皮皮脂量がいずれも基準範囲よりも小さいと判定されたことになる。そこで、ステップＳＳ９では、皮膚情報比較部７０は、主処理部８０に対して、後述する所定の処理９を行なうように処理情報を送る。
【００６８】
さらに、図８に示すように、ステップＳ２では、水分量情報比較部７１が真皮の水分量情報と水分量基準範囲下限値とを比較して、真皮水分量が基準範囲内に収まるか否かの判定を行なう。水分量情報が水分量基準範囲下限値以上であれば真皮水分量が基準範囲内に収まると判定して処理はＹＥＳルートをとってステップＳ２１に進み、水分量情報が水分量基準範囲下限値より小さければＮＯルートをとって図９に示すステップＳ３１へ進む。
【００６９】
ステップＳ２１では、イオン濃度情報比較部７２が真皮のイオン濃度情報とイオン濃度基準範囲上限値とを比較して、真皮イオン濃度が基準範囲よりも大きいか否かの判定を行なう。イオン濃度情報がイオン濃度基準範囲上限値よりも大きければ真皮イオン濃度が基準範囲より大きいと判定して処理はＹＥＳルートをとってステップＳ２１１に進み、イオン濃度情報がイオン濃度基準範囲上限値以下であればＮＯルートをとってステップＳ２２へ進む。
【００７０】
ステップＳ２１１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ１０に進み、皮脂量情報が皮脂量基準範囲上限値以下であればＮＯルートをとってステップＳ２１２へ進む。
【００７１】
ステップＳＳ１０に処理が移行したということは、対象となる皮膚では真皮水分量が基準範囲内であり、真皮イオン濃度及び表皮皮脂量がいずれも基準範囲よりも大きいと判定されたことになる。そこで、ステップＳＳ１０では、皮膚情報比較部７０は、主処理部８０に対して、後述する所定の処理１０を行なうように処理情報を送る。
【００７２】
ステップＳ２１２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ１１に進み、皮脂量情報が皮脂量基準範囲下限値よりも小さければ表皮皮脂量が基準範囲よりも小さいと判定してＮＯルートをとってステップＳＳ１２へ進む。
【００７３】
ステップＳＳ１１に処理が移行したということは、対象となる皮膚では真皮水分量及び表皮皮脂量が基準範囲内に収まり、真皮イオン濃度が基準範囲よりも大きいと判定されたことになる。そこで、ステップＳＳ１１では、皮膚情報比較部７０は、主処理部８０に対して、後述する所定の処理１１を行なうように処理情報を送る。
【００７４】
また、ステップＳＳ１２に処理が移行したということは、対象となる皮膚では真皮水分量が基準範囲内に収まり、真皮イオン濃度が基準範囲よりも大きく、表皮皮脂量が基準範囲よりも小さいと判定されたことになる。そこで、ステップＳＳ１２では、皮膚情報比較部７０は、主処理部８０に対して、後述する所定の処理１２を行なうように処理情報を送る。
【００７５】
さらに、ステップＳ２２では、イオン濃度情報比較部７２が真皮のイオン濃度情報とイオン濃度基準範囲下限値とを比較して、真皮イオン濃度が基準範囲内に収まるか否かの判定を行なう。イオン濃度情報がイオン濃度基準範囲下限値以上であれば真皮イオン濃度が基準範囲内に収まると判定して処理はＹＥＳルートをとってステップＳ２２１に進み、イオン濃度情報がイオン濃度基準範囲下限値より小さければ真皮イオン濃度が基準範囲よりも小さいと判定してＮＯルートをとってステップＳ２３１へ進む。
【００７６】
ステップＳ２２１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ１３に進み、皮脂量情報が皮脂量基準範囲上限値以下であればＮＯルートをとってステップＳ２２２へ進む。
【００７７】
ステップＳＳ１３に処理が移行したということは、対象となる皮膚では真皮水分量及び真皮イオン濃度がいずれも基準範囲内に収まり、表皮皮脂量が基準範囲よりも大きいと判定されたことになる。そこで、ステップＳＳ１３では、皮膚情報比較部７０は、主処理部８０に対して、後述する所定の処理１３を行なうように処理情報を送る。
【００７８】
ステップＳ２２２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ１４に進み、皮脂量情報が皮脂量基準範囲下限値よりも小さければ表皮皮脂量が基準範囲よりも小さいと判定してＮＯルートをとってステップＳＳ１５へ進む。
【００７９】
ステップＳＳ１４に処理が移行したということは、対象となる皮膚では真皮水分量、真皮イオン濃度及び表皮皮脂量はいずれも基準範囲内に収まると判定されたことになる。そこで、ステップＳＳ１４では、皮膚情報比較部７０は、主処理部８０に対して、後述する所定の処理１４を行なうように処理情報を送る。
【００８０】
また、ステップＳＳ１５に処理が移行したということは、対象となる皮膚では真皮水分量及び真皮イオン濃度がいずれも基準範囲内に収まり、表皮皮脂量が基準範囲よりも小さいと判定されたことになる。そこで、ステップＳＳ１５では、皮膚情報比較部７０は、主処理部８０に対して、後述する所定の処理１５を行なうように処理情報を送る。
【００８１】
さらに、ステップＳ２３１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ１６に進み、皮脂量情報が皮脂量基準範囲上限値以下であればＮＯルートをとってステップＳ２３２へ進む。
【００８２】
ステップＳＳ１６に処理が移行したということは、対象となる皮膚では真皮水分量は基準範囲内に収まり、真皮イオン濃度は基準範囲よりも小さく、表皮皮脂量は基準範囲よりも大きいと判定されたことになる。そこで、ステップＳＳ１６では、皮膚情報比較部７０は、主処理部８０に対して、後述する所定の処理１６を行なうように処理情報を送る。
【００８３】
ステップＳ２３２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ１７に進み、皮脂量情報が皮脂量基準範囲下限値よりも小さければ表皮皮脂量が基準範囲よりも小さいと判定してＮＯルートをとってステップＳＳ１８へ進む。
【００８４】
ステップＳＳ１７に処理が移行したということは、対象となる皮膚では真皮水分量及び表皮皮脂量が基準範囲内に収まり、真皮イオン濃度が基準範囲よりも小さいと判定されたことになる。そこで、ステップＳＳ１７では、皮膚情報比較部７０は、主処理部８０に対して、後述する所定の処理１７を行なうように処理情報を送る。
【００８５】
また、ステップＳＳ１８に処理が移行したということは、対象となる皮膚では真皮水分量が基準範囲内に収まり、真皮イオン濃度及び表皮皮脂量がいずれも基準範囲よりも小さいと判定されたことになる。そこで、ステップＳＳ１８では、皮膚情報比較部７０は、主処理部８０に対して、後述する所定の処理１８を行なうように処理情報を送る。
【００８６】
さらに、図９に示すように、ステップＳ３１では、イオン濃度情報比較部７２が真皮のイオン濃度情報とイオン濃度基準範囲上限値とを比較して、真皮イオン濃度が基準範囲よりも大きいか否かの判定を行なう。イオン濃度情報がイオン濃度基準範囲上限値よりも大きければ真皮イオン濃度が基準範囲より大きいと判定して処理はＹＥＳルートをとってステップＳ３１１に進み、イオン濃度情報がイオン濃度基準範囲上限値以下であればＮＯルートをとってステップＳ３２へ進む。
【００８７】
ステップＳ３１１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ１９に進み、皮脂量情報が皮脂量基準範囲上限値以下であればＮＯルートをとってステップＳ３１２へ進む。
【００８８】
ステップＳＳ１９に処理が移行したということは、対象となる皮膚では真皮水分量が基準範囲よりも小さく、真皮イオン濃度及び表皮皮脂量がいずれも基準範囲よりも大きいと判定されたことになる。そこで、ステップＳＳ１９では、皮膚情報比較部７０は、主処理部８０に対して、後述する所定の処理１９を行なうように処理情報を送る。
【００８９】
ステップＳ３１２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ２０に進み、皮脂量情報が皮脂量基準範囲下限値よりも小さければ表皮皮脂量が基準範囲よりも小さいと判定してＮＯルートをとってステップＳＳ２１へ進む。
【００９０】
ステップＳＳ２０に処理が移行したということは、対象となる皮膚では真皮水分量が基準範囲よりも小さく、真皮イオン濃度が基準範囲よりも大きく、表皮皮脂量が基準範囲内に収まると判定されたことになる。そこで、ステップＳＳ２０では、皮膚情報比較部７０は、主処理部８０に対して、後述する所定の処理２０を行なうように処理情報を送る。
【００９１】
また、ステップＳＳ２１に処理が移行したということは、対象となる皮膚では真皮水分量及び表皮皮脂量が基準範囲よりも小さく、真皮イオン濃度が基準範囲よりも大きいと判定されたことになる。そこで、ステップＳＳ２１では、皮膚情報比較部７０は、主処理部８０に対して、後述する所定の処理２１を行なうように処理情報を送る。
【００９２】
さらに、ステップＳ３２では、イオン濃度情報比較部７２が真皮のイオン濃度情報とイオン濃度基準範囲下限値とを比較して、真皮イオン濃度が基準範囲内に収まるか否かの判定を行なう。イオン濃度情報がイオン濃度基準範囲下限値以上であれば真皮イオン濃度が基準範囲内に収まると判定して処理はＹＥＳルートをとってステップＳ３２１に進み、イオン濃度情報がイオン濃度基準範囲下限値より小さければ真皮イオン濃度が基準範囲よりも小さいと判定してＮＯルートをとってステップＳ３３１へ進む。
【００９３】
ステップＳ３２１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ２２に進み、皮脂量情報が皮脂量基準範囲上限値以下であればＮＯルートをとってステップＳ３２２へ進む。
【００９４】
ステップＳＳ２２に処理が移行したということは、対象となる皮膚では真皮水分量が基準範囲よりも小さく、真皮イオン濃度が基準範囲内に収まり、表皮皮脂量が基準範囲よりも大きいと判定されたことになる。そこで、ステップＳＳ２２では、皮膚情報比較部７０は、主処理部８０に対して、後述する所定の処理２２を行なうように処理情報を送る。
【００９５】
ステップＳ３２２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ２３に進み、皮脂量情報が皮脂量基準範囲下限値よりも小さければ表皮皮脂量が基準範囲よりも小さいと判定してＮＯルートをとってステップＳＳ２４へ進む。
【００９６】
ステップＳＳ２３に処理が移行したということは、対象となる皮膚では真皮水分量が基準範囲よりも小さく、真皮イオン濃度及び表皮皮脂量はいずれも基準範囲内に収まると判定されたことになる。そこで、ステップＳＳ２３では、皮膚情報比較部７０は、主処理部８０に対して、後述する所定の処理２３を行なうように処理情報を送る。
【００９７】
また、ステップＳＳ２４に処理が移行したということは、対象となる皮膚では真皮水分量及び表皮皮脂量が基準範囲よりも小さく、真皮イオン濃度が基準範囲内に収まると判定されたことになる。そこで、ステップＳＳ２４では、皮膚情報比較部７０は、主処理部８０に対して、後述する所定の処理２４を行なうように処理情報を送る。
【００９８】
さらに、ステップＳ３３１では、皮脂量情報比較部７３が表皮の皮脂量情報と皮脂量基準範囲上限値とを比較して、表皮皮脂量が基準範囲よりも大きいか否かの判定を行なう。皮脂量情報が皮脂量基準範囲上限値よりも大きければ表皮皮脂量が基準範囲より大きいと判定して処理はＹＥＳルートをとってステップＳＳ２５に進み、皮脂量情報が皮脂量基準範囲上限値以下であればＮＯルートをとってステップＳ３３２へ進む。
【００９９】
ステップＳＳ２５に処理が移行したということは、対象となる皮膚では真皮水分量及び真皮イオン濃度が基準範囲よりも小さく、表皮皮脂量は基準範囲よりも大きいと判定されたことになる。そこで、ステップＳＳ２５では、皮膚情報比較部７０は、主処理部８０に対して、後述する所定の処理２５を行なうように処理情報を送る。
【０１００】
ステップＳ３３２では、皮脂量情報比較部７３が表皮の皮脂量情報と皮脂量基準範囲下限値とを比較して、表皮皮脂量が基準範囲内に収まるか否かの判定を行なう。皮脂量情報が皮脂量基準範囲下限値以上であれば表皮皮脂量が基準範囲内に収まると判定して処理はＹＥＳルートをとってステップＳＳ２６に進み、皮脂量情報が皮脂量基準範囲下限値よりも小さければ表皮皮脂量が基準範囲よりも小さいと判定してＮＯルートをとってステップＳＳ２７へ進む。
【０１０１】
ステップＳＳ２６に処理が移行したということは、対象となる皮膚では真皮水分量及び真皮イオン濃度が基準範囲よりも小さく、表皮皮脂量が基準範囲内に収まると判定されたことになる。そこで、ステップＳＳ２６では、皮膚情報比較部７０は、主処理部８０に対して、後述する所定の処理２６を行なうように処理情報を送る。
【０１０２】
また、ステップＳＳ２７に処理が移行したということは、対象となる皮膚では真皮水分量、真皮イオン濃度及び表皮皮脂量がいずれも基準範囲よりも小さいと判定されたことになる。そこで、ステップＳＳ２７では、皮膚情報比較部７０は、主処理部８０に対して、後述する所定の処理２７を行なうように処理情報を送る。
【０１０３】
［Ｉ−２−５．主処理部］
主処理部８０は、皮膚情報比較部７０での比較結果に基づいて、具体的な処理を行なう手段である。皮膚情報比較部７０での比較結果は対象となる皮膚の状態を反映したものであるため、主処理部８０では、皮膚の状態に応じた適切な処理を行なうことができるようになっている。即ち、本実施形態では、図１に示すように、主処理部８０は、皮膚状態評価部８１と手入手段選定部（ケア情報選定部）８２とを備えている。
【０１０４】
皮膚状態評価部８１は、皮膚情報比較部７０での比較結果（即ち、水分量情報比較部７１、イオン濃度情報比較部７２及び皮脂量情報比較部７３での比較結果の組み合わせ）に基づいて、皮膚の状態を評価する手段である。本実施形態では、皮膚状態評価部８１は、皮膚情報比較部７０から送られた処理情報にしたがって、処理情報内で指定された評価内容を記憶装置９０から読み取ることにより、皮膚の状態の評価を行なうようになっている。また、読み取った評価内容は、出力装置３０に送るようになっている。
【０１０５】
手入手段選定部８２は、皮膚情報比較部７０での比較結果に基づいて、皮膚の状態に応じた適切な肌の手入れのための手段（ケア手段）に関するケア情報を選定する手段である。なお、ケア情報は、図１に示すケア情報記憶部９５に記憶されている。本実施形態では、手入手段選定部８２は、皮膚情報比較部７０から送られた処理情報にしたがって、処理情報内で指定されたケア情報を、記憶装置９０から読み取ることにより取得するようになっている。これにより、手入手段選定部８２は、皮膚の状態に応じて肌の手入れの手段を選定し、その手段に関するケア情報を提示することができるようになっている。また、選定したケア情報は、出力装置３０に送られるようになっている。したがって、手入手段選定部８２は、評価手段による評価結果に応じたケア情報を、ケア情報記憶部９５から取得して提示する提示手段として機能する。
【０１０６】
以下、各処理について具体的に説明する。
前述したごとく、主処理部８０が皮膚情報比較部７０から処理１を行なうための処理情報を受け取ると、皮膚状態評価部８１は、皮膚について「真皮の代謝が活発で、真皮・表皮共に老廃物がたまりやすい」との評価内容を記憶装置９０から読み取る。また、手入手段選択部８２は、「皮脂を落とす洗顔と、発汗促進と、汗を洗い流す洗顔と、表皮保湿（ウォーターベース）とを行なう肌の手入れを勧める」とのケア情報を記憶装置９０から読み取るようになっている。そして、これらの情報は、出力装置３０に送られるようになっている。
【０１０７】
主処理部８０が皮膚情報比較部７０から処理２を行なうための処理情報を受け取ると、皮膚状態評価部８１は、皮膚について「真皮の代謝が活発で、真皮に老廃物が溜まりやすい」との評価内容を記憶装置９０から読み取る。また、手入手段選択部８２は、「通常洗顔と、発汗促進と、汗を洗い流す洗顔と、表面保湿（ウォーターベース）とを行なう肌の手入れを勧める」とのケア情報を記憶装置９０から読み取るようになっている。そして、これらの情報は、出力装置３０に送られるようになっている。
【０１０８】
主処理部８０が皮膚情報比較部７０から処理３を行なうための処理情報を受け取ると、皮膚状態評価部８１は、皮膚について「真皮の代謝が活発で、真皮に老廃物が溜まりやすいが、表皮は乾燥している」との評価内容を記憶装置９０から読み取る。また、手入手段選択部８２は、「通常洗顔と、発汗促進と、汗を洗い流す洗顔と、表皮保湿（オイルベース）とを行なう肌の手入れを勧める」とのケア情報を記憶装置９０から読み取るようになっている。そして、これらの情報は、出力装置３０に送られるようになっている。
【０１０９】
主処理部８０が皮膚情報比較部７０から処理４を行なうための処理情報を受け取ると、皮膚状態評価部８１は、皮膚について「真皮の代謝が活発で、真皮に老廃物が溜まりやすい」との評価内容を記憶装置９０から読み取る。また、手入手段選択部８２は、「皮脂を落とす洗顔と、表面保湿（ウォーターベース）の、最も基本的な構成の肌の手入れを勧める」とのケア情報を記憶装置９０から読み取るようになっている。そして、これらの情報は、出力装置３０に送られるようになっている。
【０１１０】
主処理部８０が皮膚情報比較部７０から処理５を行なうための処理情報を受け取ると、皮膚状態評価部８１は、皮膚について「真皮の代謝が活発」との評価内容を記憶装置９０から読み取る。また、手入手段選択部８２は、「通常洗顔と、表皮保湿（ウォーターベース）の、最も基本的な構成の肌の手入れを勧める」とのケア情報を記憶装置９０から読み取るようになっている。そして、これらの情報は、出力装置３０に送られるようになっている。
【０１１１】
主処理部８０が皮膚情報比較部７０から処理６を行なうための処理情報を受け取ると、皮膚状態評価部８１は、皮膚について「真皮の代謝が活発だが、表皮は乾燥している」との評価内容を記憶装置９０から読み取る。また、手入手段選択部８２は、「通常洗顔と、表皮保湿（オイルベース）の、最も基本的な構成の肌の手入れを勧める」とのケア情報を記憶装置９０から読み取るようになっている。そして、これらの情報は、出力装置３０に送られるようになっている。
【０１１２】
主処理部８０が皮膚情報比較部７０から処理７を行なうための処理情報を受け取ると、皮膚状態評価部８１は、皮膚について「真皮の水分は多いが栄養不足で、表皮に老廃物が溜まりやすい」との評価内容を記憶装置９０から読み取る。また、手入手段選択部８２は、「皮脂を落とす洗顔と、栄養付加及び表面保湿（ウォーターベース）の、最も基本的な構成の肌の手入れを勧める」とのケア情報を記憶装置９０から読み取るようになっている。そして、これらの情報は、出力装置３０に送られるようになっている。
【０１１３】
主処理部８０が皮膚情報比較部７０から処理８を行なうための処理情報を受け取ると、皮膚状態評価部８１は、皮膚について「真皮の水分は多いが栄養不足」との評価内容を記憶装置９０から読み取る。また、手入手段選択部８２は、「通常洗顔と、栄養付加及び表皮保湿（ウォーターベース）の、もっとも基本的な構成の肌の手入れを勧める」とのケア情報を記憶装置９０から読み取るようになっている。そして、これらの情報は、出力装置３０に送られるようになっている。
【０１１４】
主処理部８０が皮膚情報比較部７０から処理９を行なうための処理情報を受け取ると、皮膚状態評価部８１は、皮膚について「真皮の水分は多いが栄養不足で、表皮が乾燥しやすい」との評価内容を記憶装置９０から読み取る。また、手入手段選択部８２は、「通常洗顔と、栄養付加及び表面保湿（オイルベース）の、もっとも基本的な構成の肌の手入れを勧める」とのケア情報を記憶装置９０から読み取るようになっている。そして、これらの情報は、出力装置３０に送られるようになっている。
【０１１５】
主処理部８０が皮膚情報比較部７０から処理１０を行なうための処理情報を受け取ると、皮膚状態評価部８１は、皮膚について「真皮、表皮共に老廃物が溜まりやすい」との評価内容を記憶装置９０から読み取る。また、手入手段選択部８２は、「皮脂を落とす洗顔と、発汗促進と、汗を洗い流す洗顔と、真皮・表皮保湿（ウォーターベース）とを行なう肌の手入れを勧める」とのケア情報を記憶装置９０から読み取るようになっている。そして、これらの情報は、出力装置３０に送られるようになっている。
【０１１６】
主処理部８０が皮膚情報比較部７０から処理１１を行なうための処理情報を受け取ると、皮膚状態評価部８１は、皮膚について「真皮に老廃物が溜まりやすい」との評価内容を記憶装置９０から読み取る。また、手入手段選択部８２は、「通常洗顔と、発汗促進と、汗を洗い流す洗顔と、真皮・表皮保湿（ウォーターベース）とを行なう肌の手入れを勧める」とのケア情報を記憶装置９０から読み取るようになっている。そして、これらの情報は、出力装置３０に送られるようになっている。
【０１１７】
主処理部８０が皮膚情報比較部７０から処理１２を行なうための処理情報を受け取ると、皮膚状態評価部８１は、皮膚について「真皮に老廃物が溜まりやすいが、表皮は乾燥しやすい」との評価内容を記憶装置９０から読み取る。また、手入手段選択部８２は、「通常洗顔と、発汗促進と、汗を洗い流す洗顔と、真皮・表皮保湿（オイルベース）とを行なう肌の手入れを勧める」とのケア情報を記憶装置９０から読み取るようになっている。そして、これらの情報は、出力装置３０に送られるようになっている。
【０１１８】
主処理部８０が皮膚情報比較部７０から処理１３を行なうための処理情報を受け取ると、皮膚状態評価部８１は、皮膚について「表皮に老廃物が溜まりやすい」との評価内容を記憶装置９０から読み取る。また、手入手段選択部８２は、「皮脂を落とす洗顔と、表皮保湿と（ウォーターベース）とを行なう肌の手入れを勧める」とのケア情報を記憶装置９０から読み取るようになっている。そして、これらの情報は、出力装置３０に送られるようになっている。
【０１１９】
主処理部８０が皮膚情報比較部７０から処理１４を行なうための処理情報を受け取ると、皮膚状態評価部８１は、皮膚について「通常の肌である」との評価内容を記憶装置９０から読み取る。また、手入手段選択部８２は、「通常洗顔と、表面保湿（ウォーターベース）とを行なう肌の手入れを勧める」とのケア情報を記憶装置９０から読み取るようになっている。そして、これらの情報は、出力装置３０に送られるようになっている。
【０１２０】
主処理部８０が皮膚情報比較部７０から処理１５を行なうための処理情報を受け取ると、皮膚状態評価部８１は、皮膚について「表皮が乾燥しやすい」との評価内容を記憶装置９０から読み取る。また、手入手段選択部８２は、「通常洗顔と、表皮保湿（オイルベース）とを行なう肌の手入れを勧める」とのケア情報を記憶装置９０から読み取るようになっている。そして、これらの情報は、出力装置３０に送られるようになっている。
【０１２１】
主処理部８０が皮膚情報比較部７０から処理１６を行なうための処理情報を受け取ると、皮膚状態評価部８１は、皮膚について「真皮が栄養不足で、表皮に老廃物が溜まりやすい」との評価内容を記憶装置９０から読み取る。また、手入手段選択部８２は、「皮脂を落とす洗顔と、栄養付加及び表面保湿（ウォーターベース）とを行なう肌の手入れを勧める」とのケア情報を記憶装置９０から読み取るようになっている。そして、これらの情報は、出力装置３０に送られるようになっている。
【０１２２】
主処理部８０が皮膚情報比較部７０から処理１７を行なうための処理情報を受け取ると、皮膚状態評価部８１は、皮膚について「真皮が栄養不足」との評価内容を記憶装置９０から読み取る。また、手入手段選択部８２は、「通常洗顔と、栄養付加及び表皮保湿（ウォーターベース）とを行なう肌の手入れを勧める」とのケア情報を記憶装置９０から読み取るようになっている。そして、これらの情報は、出力装置３０に送られるようになっている。
【０１２３】
主処理部８０が皮膚情報比較部７０から処理１８を行なうための処理情報を受け取ると、皮膚状態評価部８１は、皮膚について「真皮が栄養不足で、表皮が乾燥しやすい」との評価内容を記憶装置９０から読み取る。また、手入手段選択部８２は、「通常洗顔と、栄養付加及び表皮保湿（オイルベース）とを行なう肌の手入れを勧める」とのケア情報を記憶装置９０から読み取るようになっている。そして、これらの情報は、出力装置３０に送られるようになっている。
【０１２４】
主処理部８０が皮膚情報比較部７０から処理１９を行なうための処理情報を受け取ると、皮膚状態評価部８１は、皮膚について「真皮の代謝が悪く、真皮・表皮共に老廃物が溜まりやすい」との評価内容を記憶装置９０から読み取る。また、手入手段選択部８２は、「皮脂を落とす洗顔と、発汗促進と、汗を洗い流す洗顔と、真皮の血行促進と、真皮・表皮保湿（ウォーターベース）とを行なう肌の手入れを勧める」とのケア情報を記憶装置９０から読み取るようになっている。そして、これらの情報は、出力装置３０に送られるようになっている。
【０１２５】
主処理部８０が皮膚情報比較部７０から処理２０を行なうための処理情報を受け取ると、皮膚状態評価部８１は、皮膚について「真皮の代謝が悪く、真皮に老廃物が溜まりやすい」との評価内容を記憶装置９０から読み取る。また、手入手段選択部８２は、「通常洗顔と、発汗促進と、汗を洗い流す洗顔と、真皮の血行促進と、真皮・表皮保湿（ウォーターベース）とを行なう肌の手入れを勧める」とのケア情報を記憶装置９０から読み取るようになっている。そして、これらの情報は、出力装置３０に送られるようになっている。
【０１２６】
主処理部８０が皮膚情報比較部７０から処理２１を行なうための処理情報を受け取ると、皮膚状態評価部８１は、皮膚について「真皮の代謝が悪く、真皮に老廃物が溜まりやすいが、表皮は乾燥しやすい」との評価内容を記憶装置９０から読み取る。また、手入手段選択部８２は、「通常洗顔と、発汗促進と、汗を洗い流す洗顔と、真皮の血行促進と、真皮・表皮保湿（オイルベース）とを行なう肌の手入れを勧める」とのケア情報を記憶装置９０から読み取るようになっている。そして、これらの情報は、出力装置３０に送られるようになっている。
【０１２７】
主処理部８０が皮膚情報比較部７０から処理２２を行なうための処理情報を受け取ると、皮膚状態評価部８１は、皮膚について「真皮の代謝が悪く、表皮に老廃物が溜まりやすい」との評価内容を記憶装置９０から読み取る。また、手入手段選択部８２は、「皮脂を落とす洗顔と、真皮の血行促進と、表皮保湿（ウォーターベース）とを行なう肌の手入れを勧める」とのケア情報を記憶装置９０から読み取るようになっている。そして、これらの情報は、出力装置３０に送られるようになっている。
【０１２８】
主処理部８０が皮膚情報比較部７０から処理２３を行なうための処理情報を受け取ると、皮膚状態評価部８１は、皮膚について「真皮の代謝が悪い」との評価内容を記憶装置９０から読み取る。また、手入手段選択部８２は、「通常洗顔と、真皮の血行促進と、表皮保湿（ウォーターベース）とを行なう肌の手入れを勧める」とのケア情報を記憶装置９０から読み取るようになっている。そして、これらの情報は、出力装置３０に送られるようになっている。
【０１２９】
主処理部８０が皮膚情報比較部７０から処理２４を行なうための処理情報を受け取ると、皮膚状態評価部８１は、皮膚について「真皮の代謝が悪く、表皮が乾燥しやすい」との評価内容を記憶装置９０から読み取る。また、手入手段選択部８２は、「通常洗顔と、真皮の血行促進と、表皮保湿（オイルベース）とを行なう肌の手入れを勧める」とのケア情報を記憶装置９０から読み取るようになっている。そして、これらの情報は、出力装置３０に送られるようになっている。
【０１３０】
主処理部８０が皮膚情報比較部７０から処理２５を行なうための処理情報を受け取ると、皮膚状態評価部８１は、皮膚について「真皮の代謝が悪く栄養不足で、表皮に老廃物が溜まりやすい」との評価内容を記憶装置９０から読み取る。また、手入手段選択部８２は、「皮脂を落とす洗顔と、真皮の血行促進と、栄養付加及び表皮保湿（ウォーターベース）とを行なう肌の手入れを勧める」とのケア情報を記憶装置９０から読み取るようになっている。そして、これらの情報は、出力装置３０に送られるようになっている。
【０１３１】
主処理部８０が皮膚情報比較部７０から処理２６を行なうための処理情報を受け取ると、皮膚状態評価部８１は、皮膚について「真皮の代謝が悪く栄養不足」との評価内容を記憶装置９０から読み取る。また、手入手段選択部８２は、「通常洗顔と、真皮の血行促進と、栄養付加及び表皮保湿（ウォーターベース）とを行なう肌の手入れを勧める」とのケア情報を記憶装置９０から読み取るようになっている。そして、これらの情報は、出力装置３０に送られるようになっている。
【０１３２】
主処理部８０が皮膚情報比較部７０から処理２７を行なうための処理情報を受け取ると、皮膚状態評価部８１は、皮膚について「真皮の代謝が悪く栄養不足で、表皮が乾燥しやすい」との評価内容を記憶装置９０から読み取る。また、手入手段選択部８２は、「通常洗顔と、真皮の血行促進と、栄養付加及び表皮保湿（オイルベース）とを行なう肌の手入れを勧める」とのケア情報を記憶装置９０から読み取るようになっている。そして、これらの情報は、出力装置３０に送られるようになっている。
【０１３３】
［Ｉ−２−６．記憶部］
記憶装置９０は、美容用装置１の各処理に要する情報を記憶する手段である。また、記憶装置９０は、水分量基準情報記憶部９１、イオン濃度基準情報記憶部９２、皮脂量基準情報記憶部９３、皮膚状態情報記憶部９４及びケア情報記憶部９５を備えている。
【０１３４】
水分量基準情報記憶部９１、イオン濃度基準情報記憶部９２及び皮脂量基準情報記憶部９３は、上記のように、皮質情報比較部７０での比較に用いられる基準情報を記憶する手段である。
【０１３５】
また、皮膚状態情報記憶部９４には、皮膚の状態に応じた皮膚の評価内容の情報が記憶されている。そして、皮膚状態情報記憶部９４に記憶された皮膚の評価内容の情報は、皮膚状態評価部８１が、皮膚情報比較部７０から送られてくる処理情報に応じて読み取るようになっている。
【０１３６】
また、ケア情報記憶部９５には、皮膚の状態に応じたケア情報が記憶されている。そして、ケア情報記憶部９５に記憶されたケア情報は、手入手段選定部８２が、皮膚情報比較部７０から送られてくる処理情報に応じて読み取るようになっている。
【０１３７】
本実施形態では、記憶装置９０には、図１０〜図１２に示すように、皮脂量情報比較部７０から送られる処理情報（処理１〜２７）に対応した評価内容の情報及びケア情報がテーブルとして記憶されているものとする。したがって、皮膚状態評価部８１及び手入手段選定部８２は、このテーブルに記憶された情報を読み取るようになっているものとする。
また、上述した皮膚情報比較部７０、主処理部８０（特に皮膚状態評価部８１）及び記憶装置９０は、測定手段により得られた情報に基づいて皮膚の状態を評価する評価手段として機能する。
【０１３８】
なお、記憶装置９０内の水分量基準情報記憶部９１、イオン濃度基準情報記憶部９２、皮脂量基準情報記憶部９３、皮膚状態情報記憶部９４及びケア情報記憶部９５の具体的構成は任意であり、例えば、それぞれ専用の記憶装置を設けるようにしてもよく、一つの記憶装置の記憶領域を分けて使用することにより構成してもよく、さらに、それらの一部を専用の記憶装置により構成し、残りを一つの記憶装置の記憶領域を分けて使用することにより構成してもよい。
【０１３９】
［Ｉ−３．出力装置］
出力装置３０は、主処理部８０から送られてくる皮膚の評価内容、及び、選定された肌の手入れに関するケア情報を出力する手段である。印刷装置等を用いてもよいが、ここでは、ディスプレイ等の表示装置を用いているものとする。また、出力装置３０では、音声を用いて出力するようにしてもかまわない。
【０１４０】
［Ｉ−４．使用要領］
本実施形態の美容用装置１は上記のように構成されている。したがって、使用時には、使用対象とする人物の所望の箇所に電極１１Ａ，１１Ｂを当て、ステップ電圧発生装置１２から電極１１Ａ，１１Ｂ間にステップ電圧を印加させる。
【０１４１】
図１３は、電極１１Ａ，１１Ｂを当てる候補となる箇所を説明する図である。なお、図１３において、電極１１Ａ，１１Ｂを当てる候補となる箇所は黒塗りの円で示してある。図１３に示すように、通常は、人物の顔面に電極１１Ａ，１１Ｂを当てて応答電流の計測を行なう。この際、特に前頭部や鼻中央部にかけての脂分が多い箇所（いわゆる「Ｔゾーン」）や、頬や口の周辺では異なった計測結果が出ることが多いため、それぞれに対して基準情報を予め記憶装置９０に記憶させておくことが好ましい。
【０１４２】
ステップ電圧を印加すると、電極１１Ａ，１１Ｂの間に応答電流が流れる。この応答電流は、電流計１３によってその電流量Ｉを測定され、測定された電流量Ｉは、サンプリング回路１４により所定のサンプリング周期（クロック発生回路１５のクロック発生周期）でデータ処理装置２０に送られる。
【０１４３】
データ処理措置２０では、送られてきた電流量Ｉを電流量計測部４０及び電流変化量計測部５０が受け取る。そして、電流量計測部４０が電流量Ｉから応答電流の電流量Ｉを皮膚情報特定部６０に送るとともに、電流変化量計測部５０が応答電流の所定時間（各サンプリング周期）あたりの変化量を計測して皮膚情報特定部６０に送る。
【０１４４】
皮膚情報特定部６０では、初期電流量特定部６１が、真皮の水分量情報として初期電流量を検出し、これを皮膚情報比較部７０に送る。また、時定数特定部６２が、真皮のイオン濃度情報として初期電流変化率を初期電流量の自乗で除した値（時定数）を検出し、これを皮膚情報比較部７０に送る。さらに、定常電流量特定部６３が、表皮の皮脂量情報として定常電流量を検出し、これを皮膚情報比較部７０に送る。
【０１４５】
皮膚情報比較部７０では、真皮の水分量情報及びイオン濃度情報並びに表皮の皮脂量情報が送られてくると、図７〜図９のフロー図で説明したようにして皮膚情報と基準情報とを比較し、皮膚の状態を判定する。具体的には、真皮の水分量情報と水分基準範囲上限値及び水分基準範囲下限値とをそれぞれ比較し、真皮の水分量が基準範囲内にあるか、基準範囲よりも多いか、少ないかを判定する。また、真皮のイオン濃度情報とイオン基準範囲上限値及びイオン基準範囲下限値とをそれぞれ比較し、真皮のイオン濃度が基準範囲内にあるか、基準範囲よりも多いか、少ないかを判定する。さらに、表皮の皮脂量情報と皮脂量基準範囲上限値及び皮脂量基準範囲下限値とをそれぞれ比較し、表皮の皮脂量が基準範囲内にあるか、基準範囲よりも多いか、少ないかを判定する。
【０１４６】
比較の結果、皮膚の状態が判定される。そして、皮膚の状態に応じた所定の処理が選択され、皮膚情報比較部７０は、その所定の処理を主処理部８０に行なわせるための処理情報を主処理部８０に送る。なお、ここでは、処理情報には、主処理部８０の皮膚状態評価部８１及び手入手段選択部８２が、記憶装置９０に記憶された皮膚状態情報及びケア情報のうち、どれを読み取るべきかを指示する内容が含まれているものとする。
【０１４７】
主処理部８０では、皮膚情報比較部７０から送られてきた処理情報にしたがって、皮膚状態評価部８１が皮膚状態情報記憶部９４に記憶された皮膚状態情報を読み取って皮膚の状態を評価するとともに、手入手段選定部８２がケア情報記憶部９５に記憶されたケア情報を読み取って皮膚の状態に応じた手入れ手段を選定する。
読み取った情報（評価内容及びケア情報）は、出力装置３０に送られ（提示され）、出力装置３０がその情報を出力する。そして、出力された情報により、対象となった人物の肌の、計測した部位の皮膚の状態と、それに適した手入れ手段とを把握することができるのである。
【０１４８】
以上のように、本実施形態の美容用装置１によれば、従来は把握が困難であった真皮の情報を用いて、従来よりも適切に肌の皮膚の状態を評価することができる。また、従来よりも適切な肌の手入れの手段を選定することが可能となる。
さらに、美容用装置１によれば、真皮の情報に加え、表皮の皮脂量の情報にも基づいて皮膚の状態の評価及び手入れ手段の選定を行なうことができるため、より適切な評価及び選定が可能となる。
【０１４９】
なお、上記実施形態で取得した真皮の水分量情報は、おもに真皮の末梢循環の良否や発汗量の推測に用いることができる情報である。また、真皮のイオン濃度情報は、おもに皮膚の栄養の多寡や老廃物の多寡に用いることができる情報である。さらに、表皮の皮脂量情報は、表皮の状態の推測に用いることができる情報である。したがって、これらを利用し、上記実施形態で出力させた以外の皮膚の評価やケア情報を出力させるようにしてもよい。
【０１５０】
［II．第２実施形態］
図１４は、本発明の第２実施形態としての美容用装置１’の構成を模式的に表わすブロック図である。図１４に示すように、本実施形態の美容用装置１’は、皮膚情報特特定部６０で検出された皮膚情報（即ち、真皮の水分量情報及びイオン濃度情報、並びに、表皮の皮脂量情報）が出力装置３０に送られるようになっていて、出力装置３０に、これらの皮膚情報を表示する皮膚情報出力部３１が設けられているほかは、特に断らない限り、第１実施形態で説明した美容用装置１と同様に構成されている。
【０１５１】
出力装置３０が備える皮膚情報出力部３１は、皮膚情報特定部６０から送られてくる皮膚情報を出力する手段である。単に当該皮膚情報を数値として表わしてもよいが、グラフ化して出力するようにすれば視覚によって直感的に皮膚情報を認識できるようになるため、好ましい。
【０１５２】
例えば、図１５に示すようにレーダーチャートにして表示してもよい。この場合、皮膚の状態を形状パターンとして認識することができるようになる。
また、例えば、図１６に示すように折れ線グラフにして表示してもよい。この場合、心理学分野の交流分析と同様に、Ｎ型、逆Ｎ型など、性質を形状パターンとして認識することができるようになる。
さらに、例えば、図１７に示すように棒グラフにして表示してもよい。棒グラフは、量の比較に適している。また、水分量とイオン濃度を上下に並べて描くことで、皮膚の代謝の良否と老廃物の堆積とを比較することができ、直感的に分かりやすい表示を実現することができる。なお、ここでは横向きに表したが、棒グラフはもちろん縦向きに表してもよい。
【０１５３】
また、例えば、図１８に示すようにバブルチャートにして表示することも可能である。
なお、皮膚情報を出力する場合、特定した皮膚情報をそのまま表示するようにしてもよいが、通常は、何らかの標準値（例えば、所定数の健常者から予め得た平均値など）により規格化を行ない、その規格化したものを表示する。
【０１５４】
本実施形態の美容用装置１’は上記のように構成されている。したがって、美容用装置１’は、第１実施形態の美容用装置１と同様の要領で、皮膚の状態を評価するとともに、皮膚の状態に応じた手入れ手段を選定し、その情報を出力装置３０により出力する。これにより、第１実施形態と同様に、従来は把握が困難であった真皮の情報を用いて、従来よりも適切に皮膚の状態を評価することができる。また、従来よりも適切に手入れ手段を提示することが可能となる。
【０１５５】
さらに、本実施形態では、出力装置３０は、皮膚情報出力部３１により皮膚情報（即ち、真皮の水分量情報及びイオン濃度情報、並びに、表皮の皮脂量情報）を標準化してグラフとして表示しているものとする。これにより、本実施形態の美容用装置１’を用いれば、皮膚の状態を定量的に且つ容易に認識することが可能となり、より適切に、皮膚状態の認識及び手入れ手段の選定を行なうことができるようになる。
【０１５６】
［III．第３実施形態］
図１９は、本発明の第３実施形態としての美容用システムの構成を示すブロック図である。本実施形態の美容用システム２００は、サーバ２０１と複数の計測端末２０２とを電話回線網やインターネット等の通信ネットワーク２０３を介して接続することによって構成されている。
【０１５７】
この美容用システム２００では、サーバ２０１が第１，第２実施形態にかかるデータ解析装置２０に相当しており、サーバ２０１に設けられたデータベース２０４が第１，第２実施形態の記憶装置９０に相当している。サーバ２０１のデータ解析装置２０としての機能は、第１，第２実施形態で述べたものと同機能である。また、計測端末２０２が第１，第２実施形態にかかる計測装置１０に相当している。これらの計測端末７０の計測装置１０としての機能及びデータ処理装置２０としての機能も、特に断らない限り、第１，第２実施形態で述べたものと同機能である。
【０１５８】
計測端末２０２での計測により得られた測定データ（皮膚情報）は、通信ネットワーク２０３を介してサーバ２０１に送信され、サーバ２０１においてデータ解析が行われて、皮膚の評価と手入れ手段の選定とが行なわれる。この結果は、サーバ２０１から通信ネットワーク２０３を介して計測元の計測端末２０２に送信され、出力装置２０５に出力される。なお、美容用システム２００を、皮膚の評価及び手入れ手段の選定の結果が計測元以外の出力装置２０５に表示されるように構成して、遠隔にて皮膚の評価及び手入れ手段の選定診断を行なえるようにしてもよい。
【０１５９】
このような構成により、本実施形態の美容用システム２００によれば、複数の計測端末２０２においてサーバ２０１のデータベース２０４のデータを共用することができる。このようなデータの更新を行なう場合、第１，第２実施形態の美容用装置１，１’では、美容用装置１，１’が複数在る場合には美容用装置１，１’毎に記憶装置９０内の情報を更新する必要があるが、本実施形態によればサーバ２０１のデータベース２０４のデータのみ更新すれば足りる。したがって、データの更新のための手間が省けるとともに、各計測端末２０２において常に最新のデータを用いた診断を行うことができるという利点がある。
【０１６０】
［IV．その他］
以上、本発明の第１〜第３実施形態について説明したが、本発明は上記の実施形態に限定されるものではなく、本発明の要旨を逸脱しない範囲において任意に変形して実施することができる。
例えば、上記の実施形態では、真皮水分量、真皮イオン濃度、表皮皮脂量などの皮膚の状態を、基準範囲、基準範囲よりも少ない範囲、並びに、基準範囲よりも多い範囲の３つの範囲に分けて比較により判定を行なうようにしたが、この範囲分けはさらに多くの範囲に分けて判定するようにしてもよい。例えば、真皮水分量、真皮イオン濃度又は表皮皮脂量のそれぞれについて、４つ以上の範囲に分けて比較し、判定するようにしてもよい。
【０１６１】
また、例えば、逆に基準範囲を設定せず、ある基準値を基準値として、真皮水分量、真皮イオン濃度又は表皮皮脂量のそれぞれについて、その基準値よりも多い範囲と少ない範囲との２つの範囲のいずれに属するかのみで比較を行ない、皮膚の判定や手入れ手段の選定などを行なうようにしてもよい。具体例を挙げると、基準値として健常者群を測定した平均値を採用し、その基準値よりも真皮水分量、真皮イオン濃度又は表皮皮脂量が多い場合を過剰、その基準値よりも真皮水分量、真皮イオン濃度又は表皮皮脂量が少ない場合を不足として、図２０（ａ），（ｂ）に示すような評価内容の情報及びケア情報の中から、皮膚状態の評価及び手入れ手段の選定を行なうようにしてもよい。なお、図２０（ａ），（ｂ）において、各欄の上段部分が皮膚状態の評価の内容であり、下段部分が手入れ手段の情報を表す。
【０１６２】
さらに、例えば、真皮水分量、真皮イオン濃度及び表皮皮脂量以外の皮膚情報を用いてもよい。例えば、真皮水分量、真皮イオン濃度及び表皮皮脂量に加えて、表皮の水分量（表皮水分量）をも皮膚情報のひとつとして測定し、判定に用いるようにしてもよい。また、その場合、第２実施形態で説明したような皮膚情報出力部により、表皮水分量も含めて皮膚情報を図２１〜図２３に示すようなグラフとして出力することもできる。
また、上記実施形態で採用した初期電流量、時定数、定常電流地以外の指標（電気的特性値など）を、皮膚情報として用いてもよい。
【０１６３】
さらに、上記実施形態では肌の手入れ手段として手入れの方法を選定するようにしたが、このほか、肌の手入れに用いる具体的な化粧品（特に基礎化粧品）、食品及び薬品の少なくともいずれかの名称を、ケア情報として挙げるようにしてもよい。また、特に上記第３実施形態のような美容用システムを用いて遠隔での皮膚の評価や手入れ手段の選定などを行なう場合には、これに上記の化粧品、食品及び薬品の少なくともいずれかを受注するシステムを組み合わせて実施するようにしてもよい。なお、化粧品、食品及び薬品以外のものの名称等を、ケア情報としてあげるようにしてもよい。
【０１６４】
また、上記の実施形態の美容用装置１，１’は電気回路を組み合わせた専用装置として構成してもよいが、計測装置１０としての機能のみを備えた計測専用の検出端末を用い、データ処理装置２０は汎用のコンピュータを用いるようにしてもよい。この場合、データ処理装置２０を構成する各要素４０，５０，６０，６１，６２，６３，７０，７１，７２，７３，８０，８１，８２の機能は、適宜、専用のプログラム｛皮膚状態評価プログラム｝をコンピュータ（例えば、ＣＰＵやＭＰＵなど）に読み込み実行することで実現することができる。例えば、皮膚情報比較部７０や主処理部８０の機能は、図７〜図９により前述したフローを規定するプログラムをコンピュータが読み込んで実行することで実現できる。
また、上記のプログラムを読み込んだ、コンピュータ読み取り可能な記憶媒体も、本発明の範囲に含まれる。
【０１６５】
さらに、上記実施形態では顔面の肌を対象としたが、顔面以外の部位の肌を対象として上記の美容用装置１，１’を使用するようにしてもよい。
また、使用の際、例えば顔のＴゾーンとほかの部位とを比較する（個人内比較）ことで、より詳しく的確な皮膚状態の評価及び肌の手入れ手段の選定を行なうことも可能である。
【０１６６】
また、真皮の水分量情報とイオン濃度情報とのいずれか一方だけを用いて、皮膚の状態の評価や、ケア情報の提示を行なうようにしてもよい。即ち、測定手段が、真皮層の水分量情報を検出する真皮水分量情報検出部、及び、真皮層のイオン濃度情報を検出する真皮イオン濃度情報検出部の一方を備えるとともに、該評価手段が、皮膚の状態の評価に用いる水分量基準情報を記憶した水分量基準情報記憶部、及び、皮膚の状態の評価に用いるイオン濃度基準情報を記憶したイオン濃度基準情報記憶部の一方と、真皮水分量情報検出手段が検出した水分量情報と該水分量基準情報記憶部における水分量基準情報とを比較する水分量情報比較部、及び、真皮イオン濃度情報検出部が検出したイオン濃度情報とイオン濃度基準情報記憶部におけるイオン濃度基準情報とを比較するイオン濃度情報比較部の一方と、水分量情報比較部での比較結果及びイオン濃度情報比較部での比較結果の一方に基づいて、皮膚の状態を評価する皮膚状態評価部とを備えるように、皮膚状態評価装置を構成してもよい。
【産業上の利用可能性】
【０１６７】
本発明は、美容に関する分野に用いることができ、特に、基礎化粧品の提案など、肌の状態を改善して美容を促進する分野において特に好適である。
【図面の簡単な説明】
【０１６８】
【図１】本発明の第１実施形態としての美容用装置の構成を模式的に表わすブロック図である。
【図２】生体の皮膚に、一対の電極からステップ電圧を印加した場合に生体の皮膚に流れる応答電流の波形を説明するための図であり、（ａ）は印加した電圧を示す図、（ｂ）は応答電流を示す図である。
【図３】生体の皮膚を等価回路に置き換えた図である。
【図４】一対の電極を装着した際の生体の皮膚について説明するための図である。
【図５】応答電流の流れを説明するために、図４のＶ部近傍を拡大して示す模式的な斜視図である。
【図６】本発明の第１実施形態としての美容用装置における情報の計測方法を説明するための図である。
【図７】本発明の第１実施形態について説明するもので、皮膚情報比較部で行なわれる比較処理の要領を示すフロー図である。
【図８】本発明の第１実施形態について説明するもので、皮膚情報比較部で行なわれる比較処理の要領を示すフロー図である。
【図９】本発明の第１実施形態について説明するもので、皮膚情報比較部で行なわれる比較処理の要領を示すフロー図である。
【図１０】本発明の第１実施形態について説明するもので、処理情報に対応して記憶装置９０に記憶された評価内容の情報及びケア情報のテーブルの一例を示す図である。
【図１１】本発明の第１実施形態について説明するもので、処理情報に対応して記憶装置９０に記憶された評価内容の情報及びケア情報のテーブルの一例を示す図である。
【図１２】本発明の第１実施形態について説明するもので、処理情報に対応して記憶装置９０に記憶された評価内容の情報及びケア情報のテーブルの一例を示す図である。
【図１３】本発明の第１実施形態について説明するもので、電極を当てる候補となる箇所を説明する図である
【図１４】本発明の第２実施形態としての美容用装置の構成を模式的に表わすブロック図である。
【図１５】本発明の第２実施形態について説明するもので、出力装置において皮膚情報を出力する際の態様の一例を示す図である。
【図１６】本発明の第２実施形態について説明するもので、出力装置において皮膚情報を出力する際の態様の一例を示す図である。
【図１７】本発明の第２実施形態について説明するもので、出力装置において皮膚情報を出力する際の態様の一例を示す図である。
【図１８】本発明の第２実施形態について説明するもので、出力装置において皮膚情報を出力する際の態様の一例を示す図である。
【図１９】本発明の第３実施形態としての美容用システムの構成を示すブロック図である。
【図２０】本発明の変形例について説明するもので、（ａ）、（ｂ）はいずれも、評価内容の情報及びケア情報のテーブルの一例を示す図である。
【図２１】本発明の変形例について説明するもので、出力装置において皮膚情報を出力する際の態様の一例を示す図である。
【図２２】本発明の変形例について説明するもので、出力装置において皮膚情報を出力する際の態様の一例を示す図である。
【図２３】本発明の変形例について説明するもので、出力装置において皮膚情報を出力する際の態様の一例を示す図である。
【符号の説明】
【０１６９】
１，１’  美容用装置
１０  計測装置
１１Ａ，１１Ｂ  電極
１２  ステップ電圧発生装置
１３  電流計
１４  サンプリング回路
１５  クロック発生回路
１６  応答電流検出部
２０  データ処理装置
３０  出力装置
３１  皮膚情報出力部
４０  電流量計測部
５０  電流変化量計測部
６０  皮膚情報特定部
６１  初期電流量特定部
６２  時定数特定部
６３  定常電流量特定部
７０  皮膚情報比較部
７１  水分量情報比較部
７２  イオン濃度情報比較部
７３  皮脂量情報比較部
８０  主処理部
８１  皮膚状態評価部
８２  手入手段選定部
９０  記憶装置
９１  水分量基準情報記憶部
９２  イオン濃度基準情報記憶部
９３  皮脂量基準情報記憶部
９４  皮脂状態情報記憶部
９５  ケア情報記憶部
１１０Ａ，１１０Ｂ  電極
１００  表皮
１０１  真皮
１０２  基底膜
１２０，１２１，１２２  電流路
１２０Ｒ，１２１Ｒ，１２２Ｒ，１２３Ｒ  抵抗
１２０Ｃ，１２１Ｃ  コンデンサ
２００  美容用システム
２０１  サーバ
２０２  計測端末
２０３  通信ネットワーク
２０４  データベース
２０５  出力装置
【図１】
0004418419.tif 000003
【図２】
0004418419.tif 000004
【図３】
0004418419.tif 000005
【図４】
0004418419.tif 000006
【図５】
0004418419.tif 000007
【図６】
0004418419.tif 000008
【図７】
0004418419.tif 000009
【図８】
0004418419.tif 000010
【図９】
0004418419.tif 000011
【図１０】
0004418419.tif 000012
【図１１】
0004418419.tif 000013
【図１２】
0004418419.tif 000014
【図１３】
0004418419.tif 000015
【図１４】
0004418419.tif 000016
【図１５】
0004418419.tif 000017
【図１６】
0004418419.tif 000018
【図１７】
0004418419.tif 000019
【図１８】
0004418419.tif 000020
【図１９】
0004418419.tif 000021
【図２０】
0004418419.tif 000022
【図２１】
0004418419.tif 000023
【図２２】
0004418419.tif 000024
【図２３】
0004418419.tif 000025